【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
放射源と集光体とを備えた通信送信機であって、
前記集光体は、第１の面と、第２の面と、前記第１の面と第２の面の間に設けられた集光面とを備え、
前記集光面は、前記第１の面における入射放射線を前記第２の面に集光させ得る第１の側面を有し、
前記放射源は、前記第２の面から放射線を放射するために、該第２の面に隣接しており、
前記第１の側面は、前記第２の面から放射された放射線を前記第１の面に拡散させ、放射線が前記第１の面から送信される通信送信機。
【請求項２】
前記集光体は、前記第２の面に到達する放射線において、所定の方向に平面偏光された放射線割合が、前記第１の面における割合よりも高くなるように、入射放射線を偏光に基づいて選択的に集光するように構成されている、請求項１に記載の通信送信機。
【請求項３】
前記第１及び第２の面を通過する光学通路に沿って設けられた偏光フィルタを備える、請求項１又は２に記載した通信送信機。
【請求項４】
前記偏光フィルタが、前記第２の面に隣接及び／又は近接している請求項１から３のいずれか１項に記載した通信送信機。
【請求項５】
前記偏光フィルタは、前記第１の面に隣接しており、及び／又は、前記第１の面が、偏光フィルタを備える、請求項４に記載した通信送信機。
【請求項６】
前記第１の側面は、入射角が所定の受け入れ角以下である入射放射線のみを前記第２の面に集光するように設計されている、請求項１〜５のいずれかに記載した通信送信機。
【請求項７】
前記第１及び第２の面の間に設けられた第２の側面を備え、
第２の側面は、前記第１の側面よりも少ない入射放射線を集光させるような形状である、請求項１〜６のいずれかに記載した通信送信機。
【請求項８】
前記第２の側面の前記所定の受け入れ角は、前記第１の側面の受け入れ角よりも小さい、請求項６又は７に記載した通信送信機。
【請求項９】
前記第１の面は、大径及び小径を有し、前記大径は、前記小径よりも長い、請求項１〜８に記載したいずれかの通信送信機。
【請求項１０】
前記大径及び小径は実質的に垂直である、請求項９に記載した通信送信機。
【請求項１１】
前記大径は前記第１の側面によって区切られている、請求項９又は１０に記載した通信送信機。
【請求項１２】
前記小径は前記第２の側面によって区切られている、請求項７又は８に従属する場合の、請求項９、１０、又は１１に記載した通信送信機。
【請求項１３】
前記第１の面は楕円形状である、請求項１〜１２のいずれかに記載した通信送信機。
【請求項１４】
前記第１の面は、少なくとも一平面において凸形状であり、好ましくは前記第１の側面においても凸形状である、請求項１〜１３のいずれかに記載した通信送信機。
【請求項１５】
前記集光面は凹曲部を有し、
前記第１の側面は前記凹曲部内にある、請求項１〜１４のいずれかに記載した通信送信機。
【請求項１６】
前記集光面は実質的にまっすぐあるいは平坦な部分を有し、
前記第２の側面は、前記実質的にまっすぐあるいは平坦な部分内にある、請求項７に記載した通信送信機。
【請求項１７】
前記第１の側面は、完全内部反射するように設計されている、請求項１〜１６のいずれかに記載した通信送信機。
【請求項１８】
前記第１の面及び／又は該集光体は回転非対称である、請求項１〜１７のいずれかに記載した通信送信機。
【請求項１９】
前記第１の面及び／又は該集光体は、中心平面を中心として対称である、請求項１〜１８のいずれかに記載した通信送信機。
【請求項２０】
前記偏光フィルタは、小軸方向、及び／又は前記第１の側面を含む平面に垂直な方向に偏光された放射線をフィルタする、請求項７〜１８のいずれかに記載した通信送信機。
【請求項２１】
該集光体の前記集光面に沿った断面図は、回転非対称である、請求項１〜２０のいずれかに記載した通信送信機。
【請求項２２】
前記集光面に沿った断面図が、楕円形状又は実質的に長方形であることを特徴とする、請求項１〜２１のいずれかに記載した通信送信機。
【請求項２３】
狭帯域フィルタを備える、請求項１〜２２のいずれかに記載した通信送信機。
【請求項２４】
光透過性材料からなる本体部を備え、
前記本体部は、前記第１の面、前記第２の面、前記集光面によって区切られていることを特徴とする、請求項１〜２３のいずれかに記載した通信送信機。
【請求項２５】
前記本体部の材料は着色され、光学フィルタとして機能する、請求項２４に記載した通信送信機。
【請求項２６】
前記第２の面上に反射防止コーティングされた、請求項１〜２５のいずれかに記載した通信送信機。
【請求項２７】
前記第１の面を離れる放射された放射線中における所定の方向に平面偏光された放射線割合が、前記放射源により放射された放射線における割合よりも高くなるように、放射された放射線を偏光に基づいて選択的に送信するように構成されている、請求項１から２６のいずれか１項に記載の通信送信機。
【請求項２８】
前記第１と第２の面の間に設けられた第２の側面とを備え、
前記第２の側面は、前記第１の側面よりも少ない放射された放射線を拡散させるような形状であることを特徴とする、請求項１から２７のいずれか１項に記載の通信送信機。
【請求項２９】
請求項１〜２８に記載したいずれかの通信送信機と、
請求項１〜２８に記載したいずれかの通信送信機の集光体の特徴を有する集光体を備える受信機と、
前記第２の面に隣接し、該第２の面に到達する入射放射線を検出し、かつ検出された放射線の出力信号表示を与える光検出器とを備え、
前記受信機は、前記放射源から放射された放射線を受信することを特徴とする、通信システム。
【請求項３０】
前記放射源から放射された放射線が偏光されている、請求項２９に記載した通信システム。
【請求項３１】
前記放射源から放射された放射線が、前記偏光フィルタによってフィルタされる方向と垂直な方向に偏光されており、及び／又は、前記大径の方向又は前記第１の側面を含む平面の方向に偏光されている、請求項３０に記載した通信システム。
【請求項３２】
前記放射源から放射された放射線が、前記大径又は前記集光体の前記第１の側面を含む平面と、
実質的に同一平面に存在する、請求項３０又は３１に記載した通信システム。
【請求項３３】
放射された放射線を除去するように向けられた偏光フィルタを有する第２通信受信機を備え、
それによって、第２集光体からの信号を、第１集光体からの信号から差し引くことにより、全てを含んだ信号から背景放射線を除去する、
請求項３１又は３２に記載した通信システム。
【請求項３４】
前記放射された放射線は、赤外線領域にあることを特徴とする、請求項２９から３３のいずれか１項に記載した通信システム。
【請求項３５】
光透過性本体を備え、
前記光透過性本体は、第１と第２の端部と、前記第１と第２の端部の間に設けられた反射面とを備え、
前記反射面は、前記本体内を通過する放射線を前記第１又は第２の端部へ完全内部反射させ、
前記第１と第２の端部の間に、前記本体内を通過する放射線を偏光させる光学偏光フィルタが設けられている、通信送信機。
【請求項３６】
前記第１の端部の表面面積は、前記第２の端部よりも大きく、
前記反射面は、前記本体内を前記第２の端部から前記第１の端部へと通過する放射線が集光され、第１の端部から前記第２の端部へと通過する放射線が拡散される形状である、請求項３５に記載した通信送信機。
【請求項３７】
前記第１の端部は大径及び小径を有し、
前記大径は前記小径よりも長く、
前記大径に沿った視野角が前記小径に沿った視野角よりも大きい、請求項３５又は３６に記載した通信送信機。
【手続補正２】
【補正対象書類名】明細書
【補正対象項目名】発明の名称
【補正方法】変更
【補正の内容】
【発明の名称】通信送信機および通信システム